(57)【要約】【課題】簡単な構造で安価に製造でき、容易に折り畳み作業ができるゴミステーションの提供を目的とする。【解決手段】ゴミステーション１は、折畳み可能な骨枠２と、この骨枠２に支えられて収納用空間を形成するネット製収納部３とからなるゴミ収集所に設置されるゴミステーション１であって、骨枠２は、門形をした少なくとも２つのフレーム４，５と、当該複数のフレーム４，５のうちの少なくとも一つのフレーム４を立設した状態に支持するベースプレート６とで形成されるとともに、骨枠２に支えられるネット製収納部３は、開閉可能なゴミ投入口３ａを設けた箱状に合成樹脂製ネットで形成されることにより、ゴミステーション１の不使用時に前記骨枠とともに折畳み可能に構成してある。【選択図】図１
2010120739.tif 000002
【特許請求の範囲】
【請求項１】
折畳み可能な骨枠と、この骨枠に支えられて収納用空間を形成するネット製収納部とからなるゴミ収集所に設置されるゴミステーションであって、骨枠は、門形をした少なくとも２つのフレームと、当該複数のフレームのうちの少なくとも一つのフレームを立設した状態に支持するベースプレートとで形成されるとともに、骨枠に支えられるネット製収納部は、開閉可能なゴミ投入口を設けた箱状に合成樹脂製ネットで形成されることにより、ゴミステーションの不使用時に前記骨枠とともに折畳み可能に構成されたこと特徴とするゴミステーション。
【請求項２】
合成樹脂製ネットを形成する繊維の少なくとも一部をカラスの不可視色である黄色系統繊維にし、若しくは、合成樹脂製ネットの少なくとも一部をカラスの不可視色である黄色にしてあることを特徴とする請求項１に記載のゴミステーション。
【請求項３】
骨枠を構成する複数のフレームの一つがベースプレートに立設された支柱に外嵌して立設されるとともに、他のフレームの端部がベースプレートに設けられた枢支具に回動可能に枢支されていることを特徴とする請求項１または請求項２に記載のゴミステーション。
【発明の詳細な説明】
【技術分野】
【０００１】
本発明は、ゴミ収集所に設置されるゴミステーションに関するものである。
【背景技術】
【０００２】
通常、一般家庭や事業所から出るゴミは、ゴミ袋に収容され、このようなゴミ袋を指定された収集日に所定の収集場所に置いておくと、巡回してきたゴミ回収車により回収される。
ゴミの収集場所には、例えば、道路の脇等が指定されることが多いため、このような場所にゴミが散在して置かれるのを防止する目的でゴミ袋を収容するためのゴミステーションが設置されている。
【０００３】
このようなゴミステーションとして、下記特許文献１には、折畳み可能な骨枠と、この骨枠に支えられて収納用空間を形成する収納部とからなる構造を有するものが開示され、前記骨枠を構成するフレームのうち、背面側のフレームと前面側のフレームとを中折れ自在な支持アームで連結する技術が開示されている。
【０００４】
【特許文献１】特開２００４−８３２７９号公報
【発明の開示】
【発明が解決しようとする課題】
【０００５】
しかしながら、上記特許文献１に記載のゴミステーションは、複雑な構造であるために製造コストが掛かり、また全体の重量が重くなるためにゴミステーションの設置の際やゴミを収容しない時の折り畳む作業に大きな労力を要する。
【０００６】
本発明は、上記した従来の問題点に鑑みてなされたものであって、簡単な構造で安価に製造でき、容易に折り畳み作業ができるゴミステーションの提供を目的とする。
【課題を解決するための手段】
【０００７】
上記目的を達成するために、本発明に係るゴミステーションは、折畳み可能な骨枠と、この骨枠に支えられて収納用空間を形成するネット製収納部とからなるゴミ収集所に設置されるゴミステーションであって、骨枠は、門形をした少なくとも２つのフレームと、当該複数のフレームのうちの少なくとも一つのフレームを立設した状態に支持するベースプレートとで形成されるとともに、骨枠に支えられるネット製収納部は、開閉可能なゴミ投入口を設けた箱状に合成樹脂製ネットで形成されることにより、ゴミステーションの不使用時に前記骨枠とともに折畳み可能に構成してある。
【０００８】
また、前記構成において、合成樹脂製ネットを形成する繊維の少なくとも一部をカラスの不可視色である黄色系統繊維にし、若しくは、合成樹脂製ネットの少なくとも一部をカラスの不可視色である黄色にしてある。
【０００９】
そして、前記した各構成において、骨枠を構成する複数のフレームの一つがベースプレートに立設された支柱に外嵌して立設されるとともに、他のフレームの端部がベースプレートに設けられた枢支具に回動可能に枢支されている。
【発明の効果】
【００１０】
本発明に係るゴミステーションは、折畳み可能な骨枠と、この骨枠に支えられて収納用空間を形成するネット製収納部とからなるゴミ収集所に設置されるゴミステーションであって、骨枠は、門形をした少なくとも２つのフレームと、当該複数のフレームのうちの少なくとも一つのフレームを立設した状態に支持するベースプレートとで形成されるとともに、骨枠に支えられるネット製収納部は、開閉可能なゴミ投入口を設けた箱状に合成樹脂製ネットで形成されることにより、ゴミステーションの不使用時に前記骨枠とともに折畳み可能に構成してあるので、簡単な構造で安価に製造でき、容易に折り畳み作業ができる利点がある。
【００１１】
また、合成樹脂製ネットを形成する繊維の少なくとも一部をカラスの不可視色である黄色系統繊維にし、若しくは、合成樹脂製ネットの少なくとも一部をカラスの不可視色である黄色にしてある場合は、カラスがゴミステーションの存在にほとんど或いは全く気づく  ことがないので、カラスによってゴミが荒らされ、周囲に散乱することを予防できる。
【００１２】
そして、骨枠を構成する複数のフレームの一つがベースプレートに立設された支柱に外嵌して立設されるとともに、他のフレームの端部がベースプレートに設けられた枢支具に回動可能に枢支されている場合は、容易にベースプレート上にフレームを立設でき、且つ、該ベースプレートから立設されたフレームが外れ難いために、ネット製収納部を支える骨枠を倒れにくくすることができる。更に、枢支具に枢支されたフレームを容易に折りたたむことができる。
【発明を実施するための最良の形態】
【００１３】
本発明の最良の実施形態を図面に基づいて説明する。
ここに、図１は本発明の一実施形態に係るゴミステーションの外観斜視図、図２は前記ゴミステーションの骨枠の斜視図、図３は前記骨枠のベースプレートの平面図及び側面図、図４は前記骨枠の枢支具の斜視図、図５は前記枢支具の平面図及び側面図、図６は前記骨枠の係止部の斜視図、図７は前記骨枠の折り畳み時の態様図である。
各図において、この実施形態に係るゴミステーション１は、住宅街やアパート、マンション等の集合住宅の一角に設けられるゴミ収集所に設置され、各家庭から出されたゴミの入った袋を収容する装置である。
【００１４】
そして、ゴミステーション１は折畳み可能な骨枠２と、この骨枠２に支えられて収納用空間を形成するネット製収納部３とからなる構成を有する。
骨枠２は、門形をした２つのフレーム４，５と、当該フレーム４，５のうちの一つのフレーム４を立設した状態に支持するベースプレート６とで形成されている。
【００１５】
ベースプレート６上に立設されるフレーム４は、左右一対の縦部材４ａ，４ｂの上部及び下部に横部材４ｃ，４ｄが架設されてなる構造を有し、更に、上下の横部材４ｃ，４ｄの長手方向中央部が補強用の縦部材４ｅにより連結されてなる。
図７に示すように、フレーム４の縦部材４ｅの途中高さ位置には、フレーム５を回動して折り畳んだ際にフレーム５を係止するための係止具１０を設けている。
【００１６】
また、フレーム５は、骨枠２が開いた状態においてベースプレート６上面に側面が一部当接するとともに、端部がベースプレート６に設けられた後述する枢支具７に回動可能に枢支される左右一対の回動部材５ａ，５ｂと、該回動部材５ａ，５ｂを連結する連結部材５ｃからなる。
【００１７】
図３（ａ）は、ベースプレート６の平面図、（ｂ）はベースプレート６の側面図である。
ベースプレート６は、平面視矩形状の板部材６ａを備え、該板部材６ａの上面に円筒状の支柱６ｂが立設されてなる。
支柱６ｂの外径は、フレーム４の縦部材４ａ，４ｂの下端部を外嵌可能な大きさとなっており、このように縦部材４ａ，４ｂの下端部を支柱６ｂに外嵌することでフレーム４をベースプレート６上に立設するようになっている。
【００１８】
このベースプレート６の支柱６ｂにフレーム４の縦部材４ａ，４ｂの下端部を外嵌した状態で、更に背面側より、図４に示す枢支具７が取り付けられる。
図４は枢支具７の斜視図、図５（ａ）は枢支具７の左側面図、図５（b）は正面図、図５（ｃ）は底面図を示す。
枢支具７は側面視L字状及び底面視U字状に形成され、フレーム４の縦部材４ａ，４ｂの下端部を係止する係止部７ａを複数設けるとともに、枢支具７の下部にはフレーム５の端部を回動可能に枢支する枢支部７ｂを設けている。
【００１９】
ネット製収納部３は、合成樹脂製ネットにより箱状に形成され、上部に開閉可能なゴミ投入口３ａを設けている。
ネット製収納部３の合成樹脂製ネットを形成する繊維の少なくとも一部はカラスの不可視色である黄色系統繊維にし、若しくは、合成樹脂製ネットの少なくとも一部はカラスの不可視色である黄色にしてある。
【００２０】
また、合成樹脂製ネットを形成する繊維に唐辛子の辛み成分であるカプサイシンを混練するか、若しくは、表面に塗布している。
更に、必要により、ネット製収納部３の内部に黒色の収納袋を備えることでゴミの収納用空間を二重構造により形成してもよい。
【００２１】
引続き、ゴミステーション１の動作につき、以下に説明する。
まず、ゴミステーション１を設置する際は、ベースプレート６の支柱６ｂにフレーム４の縦部材４ａ，４ｂの下端部を外嵌して、フレーム４をベースプレート６に立設し、更に、フレーム４の下端部に背面側から枢支具７を取付け、係止部７ａにより係止する。
続いて、フレーム５の回動部材５ａ，５ｂの端部を枢支部７ｂにピンなどによって接続することで回動自在に枢支させる。
【００２２】
次に、ゴミステーション１を使用する際は、ゴミ投入口３ａを開閉することで、ネット製収納部３の内部に形成された収納用空間にゴミを収容し、または、ネット製収納部３内に収納されたゴミを取り出す。
ゴミステーション１の不使用時には、図６（ｂ）及び図７（ｂ）に示すように、骨枠２のフレーム５及びネット製収納部３を折り畳み、連結部材５ｃを係止具１０に係止させる。
【００２３】
このように、本実施形態に係るゴミステーション１は、折畳み可能な骨枠２と、該骨枠２に支えられて収納用空間を形成するネット製収納部３とからなり、このネット製収納部はゴミステーション１の不使用時に前記骨枠２とともに折畳み可能に構成されているので、ゴミステーション１の付使用時にはネット収納部３を骨枠２に支持させたままの状態で、容易に折り畳むことができる。また、ゴミステーション１は簡単な構造であるために安価に製造できる。
【００２４】
また、合成樹脂製ネットを形成する繊維の少なくとも一部をカラスの不可視色である黄色系統繊維にし、若しくは、合成樹脂製ネットの少なくとも一部をカラスの不可視色である黄色にしてあるので、カラスがゴミステーションの存在にほとんど或いは全く気づくことがないので、カラスによってゴミが荒らされ、周囲に散乱するといったことがない。
【００２５】
そして、骨枠を構成する複数のフレームの一つがベースプレートに立設された支柱に外嵌して立設されるとともに、他のフレームの端部がベースプレートに設けられた枢支具に回動可能に枢支されている場合は、容易にベースプレート上にフレームを立設でき、且つ、該ベースプレートから立設されたフレームが外れ難いために、ネット製収納部を支える骨枠を倒れにくくすることができる。更に、枢支具に枢支されたフレームを容易に折りたたむことができる。
【００２６】
合成樹脂製ネットを形成する繊維に唐辛子の含有成分であるカプサイシンを混合または、表面に塗布しているので、カラスや猫等の鳥獣が嘴や口で合成樹脂製ネットに触れた場合には、カプサイシンの作用により鳥獣に非常に辛い思いをさせ、ゴミ収集所に近寄りにくくすることができる。
【００２７】
尚、上記の実施形態では、フレームを２つとした、本発明のゴミステーションはそれに限定されるものでなく、例えば３つ以上でもよい。
また、合成樹脂製ネットを形成する繊維の少なくとも１部をカラスの不可視色である黄色系統繊維にし、若しくは、合成樹脂製ネットの少なくとも１部をカラスの不可視色である黄色としたが、他の色の繊維または他の色としてもよい。
また、骨枠を構成する複数のフレームの１本がベースプレートに立設された支柱に外嵌して立設されるとともに、他のフレームの端部がベースプレートに設けられた枢支具に回動可能に枢支されている構成としたが、他の構成であってもよい。
【図面の簡単な説明】
【００２８】
【図１】本発明の一実施形態に係るゴミステーションの外観斜視図である。
【図２】前記ゴミステーションの骨枠の斜視図である。
【図３】前記骨枠のベースプレートの平面図及び側面図である。
【図４】前記骨枠の枢支具の斜視図である。
【図５】前記枢支具の平面図及び側面図である。
【図６】前記骨枠の折り畳み時の態様図である。
【図７】前記骨枠の係止部の斜視図である。
【符号の説明】
【００２９】
１    ゴミステーション
２    骨枠
３    ネット製収納部
３ａ  ゴミ投入口
４，５    フレーム
６    ベースプレート
６ｂ  支柱
７    枢支具
【図１】
2010120739.tif 000003
【図２】
2010120739.tif 000004
【図３】
2010120739.tif 000005
【図４】
2010120739.tif 000006
【図５】
2010120739.tif 000007
【図６】
2010120739.tif 000008
【図７】
2010120739.tif 000009